(57)【特許請求の範囲】
【請求項１】
外部に接続されるスイッチ手段の開閉状態に応じたデジタル信号をソース入力形式およびシンク入力形式で入力可能なインバータ装置において、
前記各スイッチ手段の一端がそれぞれ接続される入力端子と、
前記各スイッチ手段の他端が共通に接続されるコモン端子と、
前記コモン端子をソース入力形式に対応した第１のコモン電位とシンク入力形式に対応した第２のコモン電位の何れかに接続する第１の切替手段と、
前記各入力端子ごとに設けられ、ソース入力形式およびシンク入力形式のデジタル信号をそれぞれ入力する第１および第２の入力回路と、
前記第１の切替手段と連動し、前記各入力形式に応じて前記入力端子を前記第１および第２の入力回路の何れかに接続する第２の切替手段とを備えていることを特徴とするインバータ装置。
【請求項２】
外部に接続される負荷に対しソース出力形式およびシンク出力形式でデジタル信号を出力可能なインバータ装置において、
前記各負荷の一端がそれぞれ接続される出力端子と、
前記各負荷の他端が共通に接続されるコモン端子と、
前記コモン端子をソース出力形式に対応した第１のコモン電位とシンク出力形式に対応した第２のコモン電位の何れかに接続する第１の切替手段と、
前記各出力端子ごとに設けられ、ソース出力形式およびシンク出力形式のデジタル信号をそれぞれ出力する第１および第２の出力回路と、
前記第１の切替手段と連動し、前記出力形式に応じて前記出力端子を前記第１および第２の出力回路の何れかに接続する第２の切替手段とを備えていることを特徴とするインバータ装置。
【請求項３】
前記コモン端子の電位に応じて異なる表示状態を呈する表示手段を備えたことを特徴とする請求項１または２記載のインバータ装置。
【請求項４】
前記表示手段は、前記第１および第２のコモン電位の少なくとも一方と前記コモン端子との間に接続された表示器から構成されていることを特徴とする請求項３記載のインバータ装置。
【請求項５】
前記表示手段は、表示器と、前記コモン端子に接続された電位検出手段と、検出された電位に基づいて前記表示器に識別情報を表示させる表示制御手段とから構成されていることを特徴とする請求項３記載のインバータ装置。
【発明の詳細な説明】
【技術分野】
【０００１】
本発明は、デジタル信号をソース入力形式およびシンク入力形式で入力可能な入力回路を備えたインバータ装置、およびデジタル信号をソース出力形式およびシンク出力形式で出力可能な出力回路を備えたインバータ装置に関する。
【背景技術】
【０００２】
インバータ装置は、単体で或いは上位の制御装置に組み込まれて用いられる。この場合、インバータ装置に対し動作指令を与えるためおよびインバータ装置から運転状態を得るために、インバータ装置は多数の入力端子および出力端子を備えている。接点入力端子は、外部に接続されたスイッチ手段例えば接点やロジックのオンオフ状態に応じてデジタル信号を入力する端子で、正転／逆転運転指令、運転準備指令、多段速度指令、直流制動指令、リセット指令などの信号を入力するようになっている。また、接点出力端子は、外部に接続された負荷例えばリレーコイルやロジックに対しデジタル信号を出力する端子で、周波数下限（上限）リミット信号、低速度検出信号、指定速度到達信号、トリップ信号、過負荷検出信号などを出力するようになっている。
【０００３】
デジタル信号の入力形式には、外部に接続される接点等に電流を流し出すように構成し、そのリターン電流の有無によりデジタル信号を入力するソース入力形式と、接点等からのリターン電流を吸い込むように構成し、その接点等への流し出し電流の有無によりデジタル信号を入力するシンク入力形式とがある。デジタル信号の出力形式についても同様に、外部に接続されるリレーコイル等に電流を流し出すことによりデジタル信号を出力するソース出力形式と、リレーコイル等から電流を吸い込むことによりデジタル信号を出力するシンク出力形式とがある。
【０００４】
インバータの製造メーカは、製造機種の数を削減するため、上記ソース形式とシンク形式とを切り替えるスイッチを備え、両形式とも使用可能に構成したインバータ装置を製造している。例えば特許文献１に記載のインバータ装置は、入力端子をプルアップする接続状態とプルダウンする接続状態とを切り替えるスイッチを備え、このスイッチの切替状態に基づいてシンク入力形式とソース入力形式とを判別し、その判別結果に応じて入力信号を反転してまたは非反転のままマイコンに出力するインターフェイス回路を備えている。このインターフェイス回路は、さらに判別結果に基づいてシンク出力形式とソース出力形式とを切り替える機能も備えている。
【特許文献１】特開平１１−１６１３９１号公報
【発明の開示】
【発明が解決しようとする課題】
【０００５】
図７は、特許文献１記載のインバータ装置をはじめとして従来のインバータ装置が備えているデジタル入出力回路の概略構成を示している。インバータ装置１のデジタル入力回路２は、複数の入力端子３（図では１つのみ示す）の他にソース入力形式用のコモン端子４とシンク入力形式用のコモン端子５とを備えている。入力端子３は、スイッチ６を介してソース入力形式の信号入力回路７とシンク入力形式の信号入力回路８の何れかに接続されるようになっており、コモン端子４、５は、それぞれ電源線９、１０（２４Ｖ、０Ｖ）に接続されている。
【０００６】
同様に、デジタル出力回路１１は、複数の出力端子１２（図では１つのみ示す）の他にソース出力形式用のコモン端子１３とシンク出力形式用のコモン端子１４とを備えている。出力端子１２は、スイッチ１５を介してソース出力形式の信号出力回路１６とシンク出力形式の信号出力回路１７の何れかに接続されるようになっており、コモン端子１３、１４は、それぞれ上記コモン電源線１０、９に接続されている。
【０００７】
しかし、この構成では入力回路２および出力回路１１にそれぞれ２つのコモン端子４、５およびコモン端子１３、１４が必要になるため、端子数が増大しインバータ装置１の小型化が阻まれる。また、ソース入力形式の接点１８は実線で示すように端子３−４間に接続し、シンク入力形式の接点１９は破線で示すように端子３−５間に接続する必要があり、同様にソース出力形式のリレーコイル２０は実線で示すように端子１２−１３間に接続し、シンク出力形式のリレーコイル２１は破線で示すように端子１２−１４間に接続する必要がある。このようにソース形式とシンク形式とで外部結線が異なるため、ユーザにとって煩雑になり誤接続が生じる虞があった。
【０００８】
本発明は上記事情に鑑みてなされたもので、その目的は、デジタル信号を入出力するための端子数を極力削減でき、且つ、端子へのスイッチ手段や負荷の結線が容易となるデジタル入出力回路を備えたインバータ装置を提供することにある。
【課題を解決するための手段】
【０００９】
上記目的を達成するため、請求項１記載のインバータ装置は、外部に接続されるスイッチ手段の開閉状態に応じたデジタル信号をソース入力形式およびシンク入力形式で入力可能なインバータ装置において、前記各スイッチ手段の一端がそれぞれ接続される入力端子と、前記各スイッチ手段の他端が共通に接続されるコモン端子と、前記コモン端子をソース入力形式に対応した第１のコモン電位とシンク入力形式に対応した第２のコモン電位の何れかに接続する第１の切替手段と、前記各入力端子ごとに設けられ、ソース入力形式およびシンク入力形式のデジタル信号をそれぞれ入力する第１および第２の入力回路と、前記第１の切替手段と連動し、前記各入力形式に応じて前記入力端子を前記第１および第２の入力回路の何れかに接続する第２の切替手段とを備えていることを特徴とする。
【００１０】
この構成によれば、入力形式にかかわらず各スイッチ手段を各入力端子と共通のコモン端子との間に接続すれば、第１および第２の切替手段が連動するので、ソース入力形式に切り替えると、コモン端子が第１のコモン電位に接続されるとともに入力端子が第１の入力回路に接続され、ソース入力形式で信号を入力可能となる。一方、シンク入力形式に切り替えると、コモン端子が第２のコモン電位に接続されるとともに入力端子が第２の入力回路に接続され、シンク入力形式で信号を入力可能となる。
【００１１】
請求項２記載のインバータ装置は、外部に接続される負荷に対しソース出力形式およびシンク出力形式でデジタル信号を出力可能なインバータ装置において、前記各負荷の一端がそれぞれ接続される出力端子と、前記各負荷の他端が共通に接続されるコモン端子と、前記コモン端子をソース出力形式に対応した第１のコモン電位とシンク出力形式に対応した第２のコモン電位の何れかに接続する第１の切替手段と、前記各出力端子ごとに設けられ、ソース出力形式およびシンク出力形式のデジタル信号をそれぞれ出力する第１および第２の出力回路と、前記第１の切替手段と連動し、前記出力形式に応じて前記出力端子を前記第１および第２の出力回路の何れかに接続する第２の切替手段とを備えていることを特徴とする。
【００１２】
この構成によれば、出力形式にかかわらず各負荷を各出力端子と共通のコモン端子との間に接続すれば、第１および第２の切替手段が連動するので、ソース出力形式に切り替えると、コモン端子が第１のコモン電位に接続されるとともに出力端子が第１の出力回路に接続され、ソース出力形式で信号を出力可能となる。一方、シンク出力形式に切り替えると、コモン端子が第２のコモン電位に接続されるとともに出力端子が第２の出力回路に接続され、シンク出力形式で信号を出力可能となる。
【発明の効果】
【００１３】
本発明のインバータ装置によれば、コモン端子を共通化できるので、デジタル信号を入出力するための端子数を極力削減できる。また、入力形式または出力形式に応じてスイッチ手段または負荷を結線する端子を変更する必要がないので結線が容易となる。
【発明を実施するための最良の形態】
【００１４】
（第１の実施形態）
以下、本発明の第１の実施形態について図１を参照しながら説明する。
図１は、インバータ装置に内蔵されたデジタル入出力回路の概略構成を示しており、図７と同一部分には同一符号を付している。インバータ装置３１のデジタル入力回路３２は、外部に接続されるスイッチ手段例えば接点１８のオンオフ状態に応じたデジタル信号をソース入力形式およびシンク入力形式で入力可能である。入力するデジタル信号は、例えば正転／逆転運転指令、運転準備指令、多段速度指令、直流制動指令、リセット指令などの複数の信号である。インバータ装置３１は、複数の接点１８（図１では１つのみ示す）の一端がそれぞれ接続される複数の入力端子３（図１では１つのみ示す）と、これら複数の接点１８の他端が共通に接続されるコモン端子３３とを備えている。
【００１５】
各入力端子３は、それぞれスイッチ６（第２の切替手段に相当）を介してソース入力形式の信号入力回路７（第１の入力回路に相当）とシンク入力形式の信号入力回路８（第２の入力回路に相当）の何れかに接続されるようになっている。スイッチ６と信号入力回路７、８は、各入力端子３ごとに設けられている。一方、コモン端子３３は、スイッチ３４（第１の切替手段に相当）を介して電源線９、１０の何れかに接続されるようになっている。電源線９は、ソース入力形式に対応した第１のコモン電位であるＶｄ（２４Ｖ）の電位を有し、電源線１０は、シンク入力形式に対応した第２のコモン電位である０Ｖの電位を有している。スイッチ６とスイッチ３４は、ユーザによるソース入力形式またはシンク入力形式の選択操作により連動して切り替えられる。
【００１６】
インバータ装置３１のデジタル出力回路３５は、外部に接続される負荷例えばリレーコイル２０に対しデジタル信号をソース出力形式およびシンク出力形式で出力可能である。出力するデジタル信号は、例えば周波数下限（上限）リミット信号、低速度検出信号、指定速度到達信号、トリップ信号、過負荷検出信号などの複数の信号である。インバータ装置３１は、複数のリレーコイル２０（図１では１つのみ示す）の一端がそれぞれ接続される複数の出力端子１２（図１では１つのみ示す）と、これら複数のリレーコイル２０の他端が共通に接続されるコモン端子３６とを備えている。
【００１７】
各出力端子１２は、それぞれスイッチ１５（第２の切替手段に相当）を介してソース出力形式の信号出力回路１６（第１の出力回路に相当）とシンク出力形式の信号出力回路１７（第２の出力回路に相当）の何れかに接続されるようになっている。スイッチ１５と信号出力回路１６、１７は、各出力端子１２ごとに設けられている。一方、コモン端子３６は、スイッチ３７（第１の切替手段に相当）を介して電源線１０、９の何れかに接続されるようになっている。電源線１０は、ソース出力形式に対応した第１のコモン電位を有しており、電源線９は、シンク出力形式に対応した第２のコモン電位を有している。スイッチ１５とスイッチ３７は、ユーザによるソース出力形式またはシンク出力形式の選択操作により連動して切り替えられる。なお、上記したスイッチ６、３４およびスイッチ１５、３７は、メカニカルスイッチに限らずアナログスイッチであってもよい。
【００１８】
この構成によれば、デジタル入力回路３２において、入力形式にかかわらず、スイッチ手段である接点１８を各入力端子３と共通のコモン端子３３との間に接続することができる。スイッチ６、３４が連動してソース入力形式側に切り替えられると、電源線９からスイッチ３４、コモン端子３３、接点１８、入力端子３、スイッチ６を介して信号入力回路７に至る電流経路が形成され、接点１８のオンオフ状態に応じてソース入力形式によりデジタル信号を入力することができる。また、スイッチ６、３４が連動してシンク入力形式側に切り替えられると、信号入力回路８からスイッチ６、入力端子３、接点１８、コモン端子３３、スイッチ３４を介して電源線１０に至る電流経路が形成され、接点１８のオンオフ状態に応じてシンク入力形式によりデジタル信号を入力することができる。
【００１９】
同様に、デジタル出力回路３５において、出力形式にかかわらず、負荷であるリレーコイル２０を各出力端子１２と共通のコモン端子３６との間に接続することができる。スイッチ１５、３７が連動してソース出力形式側に切り替えられると、信号出力回路１６からスイッチ１５、出力端子１２、リレーコイル２０、コモン端子３６、スイッチ３７を介して電源線１０に至る電流経路が形成され、信号出力回路１６からリレーコイル２０にソース出力形式によりデジタル信号を出力することができる。また、スイッチ１５、３７が連動してシンク出力形式側に切り替えられると、電源線９からスイッチ３７、コモン端子３６、リレーコイル２０、出力端子１２、スイッチ１５を介して信号出力回路１７に至る電流経路が形成され、信号出力回路１７からリレーコイル２０にシンク出力形式によりデジタル信号を出力することができる。
【００２０】
以上説明した本実施形態によれば、デジタル入出力回路３２、３５において、それぞれ外部接続されるスイッチ手段、負荷に対するコモン端子３３、３６が入出力形式にかかわらず１つに共通化されているので、これまでソース／シンク入出力形式ごとに別々のコモン端子が必要であった従来構成（図７参照）と比較して端子数を低減することができ、インバータ装置の小型化を図ることができる。また、ユーザによる入出力形式の選択操作は従来通りとしながらコモン端子が共通化されているので、ユーザによるコモン端子への誤接続や誤操作を防止することができる。さらに、スイッチ６と３４およびスイッチ１５と３７は、それぞれユーザによる入出力形式の選択に応じて連動して切り替えられるので、ユーザによるスイッチの設定を簡単化できるとともに誤設定を防止することができる。
【００２１】
（第２の実施形態）
以下、本発明の第２の実施形態について図２を参照しながら説明する。
図２は、デジタル入力回路３２に設けられた表示手段の構成を示している。コモン端子３３と電源線１０（シンク入力形式に対応したコモン電位）との間に発光素子３８が接続され、コモン端子３３と電源線９（ソース入力形式に対応したコモン電位）との間に発光素子３９が接続されている。発光素子３８、３９（表示手段、表示器に相当）は、それぞれ端子間に電圧Ｖｄが印加されることにより発光するようになっており、コモン端子３３の電位に応じて異なる表示状態（点灯／消灯）を呈する。
【００２２】
スイッチ３４がソース入力形式側に切り替えられると、発光素子３８が発光し、発光素子３９が消灯する。一方、スイッチ３４がシンク入力形式側に切り替えられると、発光素子３８が消灯し、発光素子３９が発光する。その結果、ユーザは、発光素子３８が発光しているときはスイッチ３４がソース入力形式側に切り替えられており、発光素子３９が発光しているときはスイッチ３４がシンク入力形式側に切り替えられていることを視覚上容易に確認することができる。この場合、発光素子３８、３９の発光色が異なると、現在の入力形式の設定に対する識別性を一層高められる。
【００２３】
なお、発光素子３８、３９の何れか一方のみを設ける構成としてもよい。例えば発光素子３８のみを設ける場合、発光しているときはソース入力形式に設定されており、消灯しているときはシンク入力形式に設定されていることを確認することができる。また、発光素子３９のみを設ける場合、発光しているときはシンク入力形式に設定されており、消灯しているときはソース入力形式に設定されていることを確認することができる。
【００２４】
（第３の実施形態）
以下、本発明の第３の実施形態について図３を参照しながら説明する。
図３は、インバータ装置のうち特にデジタル入力回路の構成を具体的に示したもので、図１と同一部分には同一符号を付している。インバータ装置４１は、インバータ主回路４２、インバータ制御回路４３、デジタル入力回路４４、図示しないデジタル出力回路などから構成されている。インバータ主回路４２は、入力した交流電圧を整流して直流電源線４５、４６間に出力するコンバータ４７、直流電源線４５、４６間に接続されたコンデンサ４８、直流電圧を指令電圧および指令周波数の交流電圧に変換して出力するインバータ４９から構成されている。インバータ４９を構成するスイッチング素子例えばＩＧＢＴは、インバータ制御回路４３から出力されるゲート信号により駆動される。
【００２５】
接点１８（例えば微小電流リレー接点）に対するデジタル入力回路４４は、入力端子３、コモン端子３３、スイッチ５０、フォトカプラ５１および抵抗５２〜５４から構成されている。フォトカプラ５１は、その入力端子間に逆並列に接続された発光ダイオードと、出力端子間に接続されたフォトトランジスタとから構成されている。入力端子間には抵抗５３が外付けされており、出力端子間はプルアップ用の抵抗５４を介して電源線５５、５６間に接続されている。電源線５５、５６は、インバータ制御回路４３の電源電圧Ｖcc（５Ｖ）を供給しており、電源線９、１０とは絶縁されている。
【００２６】
スイッチ５０は、図１に示すスイッチ６と３４とからなる２ｃ接点構造を有しており、両スイッチ６、３４は連動して動作するようになっている。ソース入力形式の信号入力回路とシンク入力形式の信号入力回路は、上記フォトカプラ５１を主体とする回路により共通化されており、入力端子３とスイッチ６との間に接続されている。すなわち、入力端子３は、抵抗５２とフォトカプラ５１の入力端子間とを介してスイッチ６の共通接点に接続されており、コモン端子３３は、スイッチ３４の共通接点に接続されている。ソース入力形式の場合、スイッチ６は電源線１０側、スイッチ３４は電源線９側に切り替えられ、シンク入力形式の場合、スイッチ６は電源線９側、スイッチ３４は電源線１０側に切り替えられるようになっている。
【００２７】
ユーザがソース入力形式を選択すると、スイッチ６、３４はともに図中下側の接点がオンするように連動して切り替えられる。接点１８がオンすると、電源線９からスイッチ３４、コモン端子３３、接点１８、入力端子３、抵抗５２、フォトカプラ５１、スイッチ６を介して電源線１０に電流が流れ、フォトカプラ５１はオン状態となり、接点オンに対応したＬレベルのデジタル入力信号がインバータ制御回路４３に与えられる。接点１８がオフすると、フォトカプラ５１はオフ状態となり、接点オフに対応したＨレベルのデジタル入力信号がインバータ制御回路４３に与えられる。
【００２８】
一方、ユーザがシンク入力形式を選択すると、スイッチ６、３４はともに図中上側の接点がオンするように連動して切り替えられる。接点１８がオンすると、電源線９からスイッチ６、フォトカプラ５１、抵抗５２、入力端子３、接点１８、コモン端子３３、スイッチ３４を介して電源線１０に電流が流れ、フォトカプラ５１はオン状態となり、Ｌレベルのデジタル入力信号がインバータ制御回路４３に与えられる。接点１８がオフすると、フォトカプラ５１はオフ状態となり、Ｈレベルのデジタル入力信号がインバータ制御回路４３に与えられる。
【００２９】
本実施形態によれば、入力形式によらずコモン端子が１つに共通化されているので、端子数を低減することができ、インバータ装置４１の小型化が図れる。また、ユーザによるコモン端子への誤接続を防止することができ、スイッチ５０の設定も簡単化できる。さらに、双方向の入力電流によりオンするフォトカプラ５１により信号入力回路を構成したので、ソース入力形式とシンク入力形式とで信号入力回路を共通化することができる。
【００３０】
（第４の実施形態）
以下、本発明の第４の実施形態について図４を参照しながら説明する。
図４は、インバータ装置のうち特にデジタル出力回路の構成を具体的に示したもので、図１または図３と同一部分には同一符号を付している。インバータ装置６１は、インバータ主回路４２、インバータ制御回路４３、デジタル出力回路６２、図示しないデジタル入力回路などから構成されている。
【００３１】
負荷例えばリレーコイル２０に対するデジタル出力回路６２は、出力端子１２、コモン端子３６、スイッチ６３、フォトリレー６４および抵抗６５から構成されている。フォトリレー６４は、双方向性の光結合素子であり、その入力端子間に接続された発光ダイオードと、出力端子間に接続されたフォトＭＯＳＦＥＴとから構成されている。電源線５５とインバータ制御回路４３の出力端子との間には、上記フォトリレー６４の発光ダイオードと抵抗６５とが直列に接続されている。
【００３２】
スイッチ６３は、図１に示すスイッチ１５と３７とからなる２ｃ接点構造を有しており、両スイッチ１５、３７は連動して動作するようになっている。ソース出力形式の信号出力回路とシンク出力形式の信号出力回路は、上記フォトリレー６４を主体とする回路により共通化されており、出力端子１２とスイッチ１５との間に接続されている。すなわち、出力端子１２は、フォトリレー６４のフォトＭＯＳＦＥＴを介してスイッチ１５の共通接点に接続されており、コモン端子３６は、スイッチ３７の共通接点に接続されている。ソース出力形式の場合、スイッチ１５は電源線９側、スイッチ３７は電源線１０側に切り替えられ、シンク出力形式の場合、スイッチ１５は電源線１０側、スイッチ３７は電源線９側に切り替えられるようになっている。
【００３３】
ユーザがソース出力形式を選択すると、スイッチ１５、３７はともに図中上側の接点がオンするように連動して切り替えられる。インバータ制御回路４３がＬレベルの出力信号を出力すると、フォトリレー６４がオン状態となり、電源線９からスイッチ１５、フォトリレー６４、出力端子１２、リレーコイル２０、コモン端子３６、スイッチ３７を介して電源線１０に電流が流れ、リレーコイル２０が通電状態となる。インバータ制御回路４３がＨレベルの出力信号を出力すると、フォトリレー６４がオフ状態となり、リレーコイル２０が断電状態となる。
【００３４】
一方、ユーザがシンク出力形式を選択すると、スイッチ１５、３７はともに図中下側の接点がオンするように連動して切り替えられる。インバータ制御回路４３がＬレベルの出力信号を出力すると、フォトリレー６４がオン状態となり、電源線９からスイッチ３７、コモン端子３６、リレーコイル２０、出力端子１２、フォトリレー６４、スイッチ１５を介して電源線１０に電流が流れ、リレーコイル２０が通電状態となる。インバータ制御回路４３がＨレベルの出力信号を出力すると、フォトリレー６４がオフ状態となり、リレーコイル２０が断電状態となる。
【００３５】
本実施形態によれば、出力形式によらずコモン端子が１つに共通化されているので、端子数を低減することができ、インバータ装置６１の小型化が図れる。また、ユーザによるコモン端子への誤接続を防止することができ、スイッチ６３の設定も簡単化できる。さらに、双方向出力タイプのフォトリレー６４により信号出力回路を構成したので、ソース出力形式とシンク出力形式とで信号出力回路を共通化することができる。
【００３６】
（第５の実施形態）
以下、本発明の第５の実施形態について図５を参照しながら説明する。
図５は、デジタル出力回路６２に設けられた表示手段の具体的な構成を示したもので、図４と同一部分には同一符号を付している。電源線９とコモン端子３６との間には、抵抗７１と発光ダイオード７２（表示手段、表示器に相当）とが直列に接続されている。スイッチ１５、３７がソース出力形式側（図中上側の接点）に切り替えられると、発光ダイオード７２が発光し、シンク出力形式側（図中下側の接点）に切り替えられると、発光ダイオード７２が消灯する。すなわち、ソース出力形式に切り替えられている場合にのみ発光ダイオード７２が発光するので、ユーザは現在設定されている出力形式を容易に確認することができる。
【００３７】
なお、上記構成に替えて、電源線１０とコモン端子３６との間に電源線１０側をカソードとして抵抗７１と発光ダイオード７２とを直列に接続してもよい。この場合には、シンク出力形式に切り替えられている場合にのみ発光ダイオード７２が発光する。また、電源線９、１０とコモン端子３６との間にそれぞれ発光ダイオードを接続してもよい。
【００３８】
（第６の実施形態）
以下、本発明の第６の実施形態について図６を参照しながら説明する。
図６は、デジタル出力回路６２に設けられた表示手段の具体的な構成を示したもので、図４と同一部分には同一符号を付している。コモン端子３６と電源線１０との間には分圧抵抗８１、８２の直列回路からなる電圧検出回路８３（電位検出手段に相当）が接続されている。マイクロコンピュータ（マイコン）８４（表示制御手段に相当）は、電圧検出回路８３から出力されるコモン端子３６の検出電圧Ｖａを入力し、その検出電圧Ｖａに基づいて液晶表示器や７セグメントＬＥＤなどからなるディスプレイ８５（表示器に相当）の表示を制御する。これら電圧検出回路８３、マイコン８４およびディスプレイ８５により表示手段８６が構成されている。
【００３９】
スイッチ１５、３７がソース出力形式側（図中上側の接点）に切り替えられると、検出電圧Ｖａは０Ｖ（Ｌレベル）になり、マイコン８４は「ソース」、「ソース出力形式」、「source」などの文字情報からなる識別情報をディスプレイ８５に表示する。一方、スイッチ１５、３７がシンク出力形式側（図中下側の接点）に切り替えられると、分圧された検出電圧Ｖａは５Ｖ（Ｈレベル）になり、マイコン８４は「シンク」、「シンク出力形式」、「sink」などの文字情報からなる識別情報をディスプレイ８５に表示する。
【００４０】
本実施形態によれば、スイッチ６３（１５、３７）の切替状態に応じて、ディスプレイ８５に出力形式に応じた固有の文字情報が表示されるので、ユーザは現在の出力形式を容易に識別することができる。
【００４１】
（その他の実施形態）
なお、本発明は上記し且つ図面に示す各実施形態に限定されるものではなく、例えば以下のように変形または拡張が可能である。
第１の実施形態において、インバータ装置３１にデジタル入力回路３２のみまたはデジタル出力回路３５のみを設けてもよい。
デジタル出力回路３５についても、第２の実施形態と同様に、コモン端子３６と電源線９（シンク出力形式に対応したコモン電位）との間および／またはコモン端子３６と電源線１０（ソース出力形式に対応したコモン電位）との間に、それぞれ発光素子を接続してもよい。
【００４２】
デジタル入力回路４４についても、第５の実施形態と同様に、電源線９とコモン端子３３との間、電源線１０とコモン端子３３との間の少なくとも一方に抵抗と発光ダイオードを直列に接続してもよい。
デジタル入力回路４４についても、第６の実施形態と同様に表示手段８６を設けてもよい。この場合、デジタル入力回路４４とデジタル出力回路６２とでマイコン８４およびディスプレイ８５を共用できる。
【００４３】
外部に接続されるスイッチ手段は、接点１８に限られず、例えばロジック出力回路（電圧出力タイプ、電流出力タイプ）などであってもよい。
外部に接続される負荷は、リレーコイル２０に限られず、例えばＬＥＤや電球などの表示器、ロジック入力回路などであってもよい。
【図面の簡単な説明】
【００４４】
【図１】本発明の第１の実施形態を示すデジタル入出力回路の概略構成図
【図２】本発明の第２の実施形態を示すデジタル入力回路に設けた表示手段に係る構成図
【図３】本発明の第３の実施形態を示すインバータ装置であってデジタル入力回路の構成を詳細に示す図
【図４】本発明の第４の実施形態を示すインバータ装置であってデジタル出力回路の構成を詳細に示す図
【図５】本発明の第５の実施形態を示すデジタル出力回路に設けた表示手段に係る構成図
【図６】本発明の第６の実施形態を示す図５相当図
【図７】従来技術を示す図１相当図
【符号の説明】
【００４５】
図面中、３は入力端子、６、１５はスイッチ（第２の切替手段）、７、８は信号入力回路（第１、第２の入力回路）、１２は出力端子、１６、１７は信号出力回路（第１、第２の出力回路）、１８は接点（スイッチ手段）、２０はリレーコイル（負荷）、３１、４１、６１はインバータ装置、３３、３６はコモン端子、３４、３７はスイッチ（第１の切替手段）、３８、３９は発光素子（表示手段、表示器）、７２は発光ダイオード（表示手段、表示器）、８３は電圧検出回路（電位検出手段）、８４はマイクロコンピュータ（表示制御手段）、８５はディスプレイ（表示器）、８６は表示手段である。
【図１】
0005173317.tif 000002
【図２】
0005173317.tif 000003
【図３】
0005173317.tif 000004
【図４】
0005173317.tif 000005
【図５】
0005173317.tif 000006
【図６】
0005173317.tif 000007
【図７】
0005173317.tif 000008